【手続補正書】
【提出日】平成20年7月2日(2008.7.2)
【手続補正１】
【補正対象書類名】明細書
【補正対象項目名】発明の名称
【補正方法】変更
【補正の内容】
【発明の名称】映像処理装置及び映像処理装置の制御方法
【手続補正２】
【補正対象書類名】明細書
【補正対象項目名】特許請求の範囲
【補正方法】変更
【補正の内容】
【特許請求の範囲】
【請求項１】  番組の内容及び視聴料金を含む番組情報を受信する番組情報受信手段と、
利用者の操作履歴及び視聴履歴のうちの少なくとも何れか一つに基づいて、利用者の嗜好情報を保持する嗜好情報保持手段と、
前記嗜好情報保持手段に保持された嗜好情報と前記番組情報とを用いて、利用者に対する推薦番組を選出する選出手段と、
有料放送の視聴料金の利用限度額を設定する設定手段と、を有し、
前記選出手段は、前記設定手段で設定された利用限度額の範囲内において、有料放送の番組を前記推薦番組として選出することを特徴とする映像処理装置。
【請求項２】  前記選出手段は、複数の推薦番組に優先順位を付与するとともに、当該複数の推薦番組のうち、有料放送の番組は優先順位の高い順から視聴料金を加算し、当該加算した視聴料金が前記利用限度額の範囲を超える場合には、利用限度額を超える有料放送の番組の選出を行わないことを特徴とする請求項１に記載の映像処理装置。
【請求項３】  前記選出手段は、選出した推薦番組とは異なる番組を利用者が視聴したことに応じて、利用限度額の残額を用いて推薦番組の選出を再度実行することを特徴とする請求項１又は２に記載の映像処理装置。
【請求項４】  利用者が視聴しようとする番組が有料放送番組であり、かつ、利用限度額の残額が当該番組の視聴料金未満である場合には、利用限度額を超過することを利用者に通知する警告手段を備えたことを特徴とする請求項３に記載の映像処理装置。
【請求項５】  番組の内容及び放送時刻を含む番組情報を受信する番組情報受信手段と、
利用者の操作履歴及び視聴履歴のうちの少なくとも何れか一つに基づいて、利用者の嗜好情報を保持する嗜好情報保持手段と、
前記嗜好情報保持手段に保持された嗜好情報と前記番組情報とを用いて、利用者に対する推薦番組を選出する選出手段と、
番組視聴の制限時間を設定する設定手段と、を有し、
前記選出手段は、前記設定手段で設定された制限時間の範囲内において、推薦番組を選出することを特徴とする映像処理装置。
【請求項６】  前記選出手段は、複数の推薦番組に優先順位を付与するとともに、当該複数の推薦番組の優先順位の高い順から番組放送時間を加算し、当該加算した番組放送時間が前記制限時間の範囲を超える場合には、制限時間を超える番組の選出を行わないことを特徴とする請求項５に記載の映像処理装置。
【請求項７】  前記選出手段は、選出した推薦番組とは異なる番組を利用者が視聴したことに応じて、制限時間の残時間を用いて推薦番組の選出を再度実行することを特徴とする請求項５又は６に記載の映像処理装置。
【請求項８】  利用者が視聴しようとする番組が推薦番組とは異なる番組であり、かつ、当該番組の視聴により制限時間を超過する場合には、制限時間を超過することを利用者に通知する警告手段を備えたことを特徴とする請求項７に記載の映像処理装置。
【請求項９】  番組の内容及び視聴料金を含む番組情報を受信する番組情報受信ステップと、
利用者の操作履歴及び視聴履歴のうちの少なくとも何れか一つに基づいて、利用者の嗜好情報を保持部に保持させる嗜好情報保持ステップと、
前記嗜好情報保持ステップで保持された嗜好情報と前記番組情報とを用いて、利用者に対する推薦番組を選出する選出ステップと、
有料放送の視聴料金の利用限度額を設定する設定ステップと、を有し、
前記選出ステップでは、前記設定ステップで設定された利用限度額の範囲内において、有料放送の番組を前記推薦番組として選出することを特徴とする映像処理装置の制御方法。
【請求項１０】  前記選出ステップでは、複数の推薦番組に優先順位を付与するとともに、当該複数の推薦番組のうち、有料放送の番組は優先順位の高い順から視聴料金を加算し、当該加算した視聴料金が前記利用限度額の範囲を超える場合には、利用限度額を超える有料放送の番組の選出を行わないことを特徴とする請求項９に記載の映像処理装置の制御方法。
【請求項１１】  前記選出ステップでは、選出した推薦番組とは異なる番組を利用者が視聴したことに応じて、利用限度額の残額を用いて推薦番組の選出を再度実行することを特徴とする請求項９又は１０に記載の映像処理装置の制御方法。
【請求項１２】  利用者が視聴しようとする番組が有料放送番組であり、かつ、利用限度額の残額が当該番組の視聴料金未満である場合には、利用限度額を超過することを利用者に通知する警告ステップを備えたことを特徴とする請求項１１に記載の映像処理装置の制御方法。
【請求項１３】  番組の内容及び放送時刻を含む番組情報を受信する番組情報受信ステップと、
利用者の操作履歴及び視聴履歴のうちの少なくとも何れか一つに基づいて、利用者の嗜好情報を保持部に保持させる嗜好情報保持ステップと、
前記嗜好情報保持ステップで保持された嗜好情報と前記番組情報とを用いて、利用者に対する推薦番組を選出する選出ステップと、
番組視聴の制限時間を設定する設定ステップと、を有し、
前記選出ステップでは、前記設定ステップで設定された制限時間の範囲内において、推薦番組を選出することを特徴とする映像処理装置の制御方法。
【請求項１４】  前記選出ステップでは、複数の推薦番組に優先順位を付与するとともに、当該複数の推薦番組の優先順位の高い順から番組放送時間を加算し、当該加算した番組放送時間が前記制限時間の範囲を超える場合には、制限時間を超える番組の選出を行わないことを特徴とする請求項１３に記載の映像処理装置の制御方法。
【請求項１５】  前記選出ステップでは、選出した推薦番組とは異なる番組を利用者が視聴したことに応じて、制限時間の残時間を用いて推薦番組の選出を再度実行することを特徴とする請求項１３又は１４に記載の映像処理装置の制御方法。
【請求項１６】  利用者が視聴しようとする番組が推薦番組とは異なる番組であり、かつ、当該番組の視聴により制限時間を超過する場合には、制限時間を超過することを利用者に通知する警告ステップを備えたことを特徴とする請求項１５に記載の映像処理装置の制御方法。
【手続補正３】
【補正対象書類名】明細書
【補正対象項目名】０００１
【補正方法】変更
【補正の内容】
【０００１】
【発明の属する技術分野】
本発明は、利用者の趣味嗜好等に合わせた視聴計画（スケジューリング）を自動的にプランニングするエージェント機能を搭載した映像処理装置及び映像処理装置の制御方法に関するものである。
【手続補正４】
【補正対象書類名】明細書
【補正対象項目名】０００６
【補正方法】変更
【補正の内容】
【０００６】
そこで、本発明の目的は、利用者は通常のエージェント機能によるお勧め番組の選出を利用するだけでなく、自己の有料放送の視聴料金の利用限度額内でのやりくりを任せることを可能とすることにある。
また、本発明の目的は、利用者は通常のエージェント機能によるお勧め番組の選出を利用するだけでなく、自己の番組視聴の制限時間内でのやりくりを任せることを可能とすることにある。
【手続補正５】
【補正対象書類名】明細書
【補正対象項目名】０００７
【補正方法】変更
【補正の内容】
【０００７】
【課題を解決するための手段】
本発明の映像処理装置の第１の態様は、番組の内容及び視聴料金を含む番組情報を受信する番組情報受信手段と、利用者の操作履歴及び視聴履歴のうちの少なくとも何れか一つに基づいて、利用者の嗜好情報を保持する嗜好情報保持手段と、前記嗜好情報保持手段に保持された嗜好情報と前記番組情報とを用いて、利用者に対する推薦番組を選出する選出手段と、有料放送の視聴料金の利用限度額を設定する設定手段と、を有し、前記選出手段は、前記設定手段で設定された利用限度額の範囲内において、有料放送の番組を前記推薦番組として選出することを特徴とする。
本発明の映像処理装置の第２の態様は、番組の内容及び放送時刻を含む番組情報を受信する番組情報受信手段と、利用者の操作履歴及び視聴履歴のうちの少なくとも何れか一つに基づいて、利用者の嗜好情報を保持する嗜好情報保持手段と、前記嗜好情報保持手段に保持された嗜好情報と前記番組情報とを用いて、利用者に対する推薦番組を選出する選出手段と、番組視聴の制限時間を設定する設定手段と、を有し、前記選出手段は、前記設定手段で設定された制限時間の範囲内において、推薦番組を選出することを特徴とする。
本発明の映像処理装置の制御方法の第１の態様は、番組の内容及び視聴料金を含む番組情報を受信する番組情報受信ステップと、利用者の操作履歴及び視聴履歴のうちの少なくとも何れか一つに基づいて、利用者の嗜好情報を保持部に保持させる嗜好情報保持ステップと、前記嗜好情報保持ステップで保持された嗜好情報と前記番組情報とを用いて、利用者に対する推薦番組を選出する選出ステップと、有料放送の視聴料金の利用限度額を設定する設定ステップと、を有し、前記選出ステップでは、前記設定ステップで設定された利用限度額の範囲内において、有料放送の番組を前記推薦番組として選出することを特徴とする。
本発明の映像処理装置の制御方法の第２の態様は、番組の内容及び放送時刻を含む番組情報を受信する番組情報受信ステップと、利用者の操作履歴及び視聴履歴のうちの少なくとも何れか一つに基づいて、利用者の嗜好情報を保持部に保持させる嗜好情報保持ステップと、前記嗜好情報保持ステップで保持された嗜好情報と前記番組情報とを用いて、利用者に対する推薦番組を選出する選出ステップと、番組視聴の制限時間を設定する設定ステップと、を有し、前記選出ステップでは、前記設定ステップで設定された制限時間の範囲内において、推薦番組を選出することを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００８２
【補正方法】変更
【補正の内容】
【００８２】
【発明の効果】
本発明によれば、利用者は通常のエージェント機能によるお勧め番組の選出を利用するだけでなく、自己の有料放送の視聴料金の利用限度額内でのやりくりを任せることが可能となる。
また、本発明によれば、利用者は通常のエージェント機能によるお勧め番組の選出を利用するだけでなく、自己の番組視聴の制限時間内でのやりくりを任せることが可能となる。
【手続補正３０】
【補正対象書類名】明細書
【補正対象項目名】００８３
【補正方法】削除
【補正の内容】
【手続補正３１】
【補正対象書類名】明細書
【補正対象項目名】００８４
【補正方法】削除
【補正の内容】
【手続補正３２】
【補正対象書類名】明細書
【補正対象項目名】００８５
【補正方法】削除
【補正の内容】
【手続補正３３】
【補正対象書類名】明細書
【補正対象項目名】００８６
【補正方法】削除
【補正の内容】
【手続補正３４】
【補正対象書類名】明細書
【補正対象項目名】００８７
【補正方法】削除
【補正の内容】
【手続補正３５】
【補正対象書類名】明細書
【補正対象項目名】００８８
【補正方法】削除
【補正の内容】